(57)【要約】【課題】従来に比べて操作性が高い操作パネル装置及び診断又は治療装置を提供する。【解決手段】対象者又は対象物とガントリとの相対的な位置関係の指示を行う単一の操作ボタン又は複数の操作ボタンを含んでなる第１操作ボタン部１１と、ガントリ側から当該ガントリのボア内の対象者又は対象物に対して診断又は治療のための所定の物理的作用を施す処理の開始及び終了に関する指示を行う単一の操作ボタン又は複数の操作ボタンを含んでなる第２操作ボタン部２１と、第１及び第２操作ボタン部１１，２１に含まれる各操作ボタンよりも操作頻度の低い所定の処理を指示する単一の操作ボタン又は複数の操作ボタンを含んでなる第３操作ボタン部３１とを備える。【選択図】図２
2019130177.tif 000002
【特許請求の範囲】
【請求項１】
対象者又は対象物とガントリとの相対的な位置関係の指示を行う単一の操作ボタン又は複数の操作ボタンを含んでなる第１操作ボタン部と、
前記ガントリ側から当該ガントリのボア内の対象者又は対象物に対して診断又は治療のための所定の物理的作用を施す処理の開始及び終了に関する指示を行う単一の操作ボタン又は複数の操作ボタンを含んでなる第２操作ボタン部と、
前記第１及び第２操作ボタン部に含まれる各操作ボタンよりも操作頻度の低い所定の処理を指示する単一の操作ボタン又は複数の操作ボタンを含んでなる第３操作ボタン部とを備えることを特徴とする操作パネル装置。
【請求項２】
前記第３操作ボタン部は、前記第１及び第２操作ボタン部よりも上部に設けられることを特徴とする請求項１に記載の操作パネル装置。
【請求項３】
少なくとも前記第１操作ボタン部を構成する操作ボタンは、表面の傾きが互いに異なるものを含んでいることを特徴とする請求項１又は請求項２に記載の操作パネル装置。
【請求項４】
前記第３操作ボタン部は、前記第１及び第２操作ボタン部よりも前記ガントリ全面の上部に設けられ、
前記第１及び第２操作ボタン部のうち少なくとも前者は、少なくとも当該操作ボタン部の上部に配置され表面がパネル表面に対して当該パネルの外側に向かって上り傾斜している操作ボタンとを備えることを特徴とする請求項３に記載の操作パネル装置。
【請求項５】
前記第１操作ボタン部は、前記ガントリのボアの前方側に配置された寝台及び天板の動きを操作する前記操作ボタンを当該動きを高速化する前記操作ボタンの周囲に配置することを特徴とする請求項１乃至請求項４の何れかの一項に記載の操作パネル装置。
【請求項６】
前記第１及び第２操作ボタン部と前記第３操作ボタン部とでは押下方向が異なることを特徴とする請求項１乃至請求項５の何れかの一項に記載の操作パネル装置。
【請求項７】
前記第１及び第２操作ボタン部は、パネルのパネル表面に対して略垂直方向に押下することで操作されるものであり、
前記第３操作ボタン部は、その各操作ボタンが基端部の回転軸で前記パネルに回動可能に支持されていて先端部側を押下することで前記回転軸を中心に回動することで操作されるものであることを特徴とする請求項６に記載の操作パネル装置。
【請求項８】
請求項１乃至請求項７の何れかの一項に記載の操作パネル装置である第１操作パネル装置と、
前記ボア内の対象者又は対象物に対して診断又は治療のための所定の物理的作用を施すガントリと、
前記ガントリの前面に設けられたボアの前方側に配置された寝台と、
寝台上に設けられた天板とを備え、
前記第１操作パネル装置は、その操作ボタンの操作により前記寝台、前記天板及び前記ガントリのうちの少なくともひとつの移動を指示することで、前記対象者又は対象物とガントリとの相対的な位置関係を指示するものであり、前記ガントリの前面における前記ボアの左右側にそれぞれ設けられていることを特徴とする診断又は治療装置。
【請求項９】
前記第１操作パネル装置は、前記第２操作ボタン部より前記第１操作ボタン部の方が前記寝台に近い位置に配置されていることを特徴とする請求項８に記載の診断又は治療装置。
【請求項１０】
前記第１操作パネル装置の少なくとも前記第１操作ボタン部は、使用頻度の高い前記操作ボタンの方が当該操作ボタンより使用頻度の低い前記操作ボタンよりも前記寝台に近い位置に配置されていることを特徴とする請求項８又は請求項９に記載の診断又は治療装置。
【請求項１１】
前記両第１操作パネル装置は、前記ガントリの前面に向かって視て同種の前記操作ボタンが左右対称になるように配置されていることを特徴とする請求項８乃至請求項１０の何れかの一項に記載の診断又は治療装置。
【請求項１２】
前記第１操作パネル装置は、円形の前記ボアの中央高さより高く当該ボアの上端より低い位置に設けられていることを特徴とする請求項８乃至請求項１１の何れかの一項に記載の診断又は治療装置。
【請求項１３】
前記第１操作パネル装置は、その操作面の面方向が鉛直方向と鋭角をなして上向きであること特徴とする請求項８乃至請求項１２の何れかの一項に記載の診断又は治療装置。
【請求項１４】
前記第１操作パネル装置は、その操作面の面方向が前記ボアの径方向の面と鋭角をなして当該ボア側に向いていること特徴とする請求項１３に記載の診断又は治療装置。
【請求項１５】
前記ガントリの前面で前記ボアの上部位置に設けられタッチパネル装置で構成された第２操作パネル装置と、
前記第２操作パネル装置の画面中における左側及び右側のうち操作ボタンを表示する方を選択する選択部とを備えていることを特徴とする請求項８乃至請求項１４の何れかの一項に記載の診断又は治療装置。
【発明の詳細な説明】
【技術分野】
【０００１】
本発明は、操作パネル装置及び診断又は治療装置に関する。
【背景技術】
【０００２】
本技術分野の背景技術として、特開平９−１２２１１２号公報（特許文献１）がある。この公報には、「投光器からの光ビームが基準位置に当たるように、ベッド天板上の患者を位置決めし、このとき操作ボタンを押して天板位置を基準位置として入力し、キーボードを操作することによりこの基準位置からの距離を入力するとともにその距離の範囲でのスライス厚さを入力しておき、ベッド天板が移動して各スライスについてのスキャンを次々に行なうとき、上記の距離の範囲ではそのスライス厚さに切り換えられてスキャンが行なわれるようにする。」と記載されている（要約参照）。
【先行技術文献】
【特許文献】
【０００３】
【特許文献１】特開平９−１２２１１２号公報
【発明の概要】
【発明が解決しようとする課題】
【０００４】
前記特許文献１には、ガントリの正面に設けられた操作ボタンについて記載されている。しかし、同文献に開示された操作ボタンは、検査技師がＸ線ＣＴ装置を操作しやすくするための工夫が何らなされていないという不具合がある。
そこで、本発明は、従来に比べて操作性が高い操作パネル装置及び診断又は治療装置を提供することを課題とする。
【課題を解決するための手段】
【０００５】
上記課題を解決するため、本発明の一形態である操作パネル装置は、対象者又は対象物とガントリとの相対的な位置関係の指示を行う単一の操作ボタン又は複数の操作ボタンの集合でなる第１操作ボタン部と、前記ガントリ側から当該ガントリのボア内の対象者又は対象物に対して診断又は治療のための所定の物理的作用を施す処理の開始及び終了に関する指示を行う単一の操作ボタン又は複数の操作ボタンの集合でなる第２操作ボタン部と、前記第１及び第２操作ボタン部に含まれる各操作ボタンよりも操作頻度の低い所定の処理を指示する単一の操作ボタン又は複数の操作ボタンの集合でなる第３操作ボタン部とを備えることを特徴とする。
【発明の効果】
【０００６】
本発明によれば、従来に比べて操作性が高い操作パネル装置及び診断又は治療装置を提供することができる。
上記した以外の課題、構成及び効果は、以下の実施形態の説明により明らかにされる。
【図面の簡単な説明】
【０００７】
【図１】本発明の一実施例である診断又は治療装置の全体の外観を示す斜視図である。
【図２】本発明の一実施例である操作パネル装置の平面図である。
【図３】図２のＡ−Ａ切断断面図である。
【図４】図２のＢ−Ｂ切断断面図である。
【図５】本発明の一実施例である診断又は治療装置をガントリの前面における操作パネル装置の位置で切断した縦断面図である。
【図６】本発明の一実施例である診断又は治療装置の制御系の概略構成を示すブロック図である。
【図７】本発明の一実施例である診断又は治療装置の選択部が実行する処理を説明するフローチャートである。
【図８】本発明の一実施例である診断又は治療装置のタッチパネル装置の様々な画面表示例を示す平面図である。
【図９】本発明の一実施例である診断又は治療装置のタッチパネル装置の様々な画面表示例を示す平面図である。
【図１０】本発明の一実施例である診断又は治療装置のタッチパネル装置の様々な画面表示例を示す平面図である。
【図１１】本発明の一実施例である診断又は治療装置のタッチパネル装置の様々な画面表示例を示す平面図である。
【発明を実施するための形態】
【０００８】
以下、本発明の実施例について図面を用いて説明する。なお、以下の説明で前後上下左右の方向の説明は、図面中に示した装置の方向を示す矢印の指示に従う。
【０００９】
図１は、本発明の一実施例にかかる診断又は治療装置１の全体の外観を示す斜視図である。この例では、診断又は治療装置１は、医療用の診断装置であるＣＴ（Computed（Computerized）Tomography）装置の例で説明するが、本発明はこれに限定されるものではない。例えば、本発明は、ＭＲＩ（Magnetic Resonance Imaging）装置、ＰＥＴ（(Positron Emission Tomography）−ＣＴ装置、重粒子線治療装置、陽子線治療装置などの医学用又は獣医学用等の診断又は治療に使用する各種装置にも適用することができる。
【００１０】
図１に示すように、診断又は治療装置１は、大別して、ガントリ２と、ガントリ２の前面に設けられたボア３の前方側に配置された寝台４と、寝台４上に設けられた天板５とを備えている。ガントリ２は、ボア３内に入った対象者又は対象物（ここでは患者である対象者）に対して診断又は治療のための所定の物理的作用を施す装置を備えている。本例では、診断又は治療装置１は、ＣＴ装置であり、放射線などを利用して対象者の体の断層撮影を行う装置であるため、ガントリ２内には、対象者に対して放射線を照射する放射線照射装置などが設けられている。
【００１１】
ガントリ２は、所定のアクチュエータにより、前傾動作及び後傾動作（何れも後述）を行うことができる。また、寝台４は、所定のアクチュエータにより、上昇動作及び下降動作を行うことができる。さらに、横臥姿勢の対象者の体を支持する天板５は、所定のアクチュエータにより、ボア３内への前進動作、ボア３内からの後退動作、上昇動作、下降動作及び横方向への移動動作（右シフト動作及び左シフト動作）を行うことができる。
【００１２】
ガントリ２の前面２ａにおけるボア３の右側及び左側には、各々操作パネル装置６Ｒ，６Ｌ（第１操作パネル装置）が設けられている。操作パネル装置６Ｒ，６Ｌは寝台４の近傍に配置されている。また、ガントリ２の前面２ａにおけるボア３の上部には、タッチパネル装置７（第２操作パネル装置）が設けられている。タッチパネル装置７は、各種情報の表示器であるとともに、タッチパネル方式の操作装置でもある。タッチパネル装置７も寝台４の近傍に配置されている。
【００１３】
操作パネル装置６Ｒ，６Ｌは、円形のボア３の中央高さより高く当該ボアの上端より低い位置に設けられている。
次に、操作パネル装置６Ｒ，６Ｌの詳細について説明する。操作パネル装置６Ｒと６Ｌとは類似の構成であるため、まず、代表して操作パネル装置６Ｌについて説明する。図２は、操作パネル装置６Ｌの平面図である。
【００１４】
操作パネル装置６Ｌは、例えば、四隅の角を丸くした矩形状に近い外形のパネルである。このパネル表面に向かって右側には、対象者とガントリ２との相対的な位置関係の指示を検査技師が行うための単一の操作ボタン又は複数の操作ボタンを含んでなる第１操作ボタン部１１が設けられている。本例では、第１操作ボタン部１１は、複数の操作ボタン１２乃至２０の集合である。
【００１５】
また、操作パネル装置６Ｌの第１操作ボタン部１１よりも向かって左側には、第２操作ボタン部２１が設けられている。第２操作ボタン部２１は、ガントリ２側から当該ガントリ２のボア３内の対象者に対して診断又は治療のための所定の物理的作用を施す処理の開始及び終了に関する指示を検査技師が行うための単一の操作ボタン又は複数の操作ボタンを含んでなる。本例では、第２操作ボタン部２１は、前記の物理的作用の発生として放射線等の照射を行い、複数の操作ボタン２２乃至２５の集合である。
【００１６】
さらに、操作パネル装置６Ｌの第１操作ボタン部１１及び第２操作ボタン部２１の上部、例えば、操作パネル装置６Ｌの上端縁部分には、第３操作ボタン部３１が設けられている。第３操作ボタン部３１は、第１及び第２操作ボタン部１１，２１に含まれる各操作ボタン１２乃至２０、各操作ボタン２２乃至２５よりも操作頻度の低い所定の処理の指示を検査技師が行うための単一の操作ボタン又は複数の操作ボタンを含んでなる。本例では、第３操作ボタン部３１は、複数の操作ボタン３２乃至３７の集合である。
【００１７】
そして、第１乃至第３操作ボタン部１１，２１，３１は、互いに所定の距離をあけて操作パネル装置６Ｒ，６Ｌのパネル面４４上に設けられている。なお、図２の例では、第１乃至第３操作ボタン部１１，２１，３１は、単一のパネル上に配置されているが、各操作ボタン部が異なるパネル上に配置されるようにしてもよい。
第１操作ボタン部１１の操作ボタン１２乃至２０の詳細について説明する。第１操作ボタン部１１は、対象者とガントリ２との相対的な位置関係の指示を検査技師が行うための操作ボタンからなるため、操作パネル装置６Ｌの中で最も頻繁に操作される。
【００１８】
天板前進操作ボタン１２は、天板５をボア３内に向かって前進させる（診断又は治療装置１の後方に移動）指示を行う操作ボタンである。天板後退操作ボタン１３は、天板５をボア３内から後退（診断又は治療装置１の前方に移動）させる指示を行う操作ボタンである。寝台上昇操作ボタン１４は、寝台４を上昇させる指示を行う操作ボタンである。寝台下降操作ボタン１５は、寝台４を下降させる指示を行う操作ボタンである。高速操作ボタン１６は、天板前進操作ボタン１２、天板後退操作ボタン１３、寝台上昇操作ボタン１４及び寝台下降操作ボタン１５の各操作ボタンの押下による動作を高速化する指示を行う操作ボタンである。高速操作ボタン１６は、これらの各操作ボタンと同時に押下することで前記の高速化が図られる。
【００１９】
これらの各操作ボタンは、高速操作ボタン１６を中心に、これに隣接して、天板前進操作ボタン１２、天板後退操作ボタン１３、寝台上昇操作ボタン１４及び寝台下降操作ボタン１５が配置されている。すなわち、操作パネル装置６Ｌの前面に向かって、高速操作ボタン１６の右側が天板前進操作ボタン１２、左側が天板後退操作ボタン１３、上側が寝台上昇操作ボタン１４、下側が寝台下降操作ボタン１５である。さらに、寝台上昇操作ボタン１４の上部には当該寝台上昇操作ボタン１４と隣接してガントリ前傾操作ボタン１７及びガントリ後傾操作ボタン１８が設けられている。ガントリ前傾操作ボタン１７は、ガントリ２の上側が寝台４側から遠ざかるようにガントリ２を傾ける指示を行う操作ボタンである。ガントリ後傾操作ボタン１８は、ガントリ２の上側が寝台４側に近づくようにガントリ２を傾ける指示を行う操作ボタンである。寝台下降操作ボタン１５の下部には当該寝台下降操作ボタン１５と隣接して寝台右シフト操作ボタン１９及び寝台左シフト操作ボタン２０が設けられている。寝台右シフト操作ボタン１９は、寝台４をガントリ２の前面２ａに向かって右方向にシフト移動することを指示する操作ボタンである。寝台左シフト操作ボタン２０は、寝台４をガントリ２の前面２ａに向かって左方向にシフト移動することを指示する操作ボタンである。
【００２０】
第２操作ボタン部２１の操作ボタン２２乃至２５について説明する。第２操作ボタン部２１は、ＨＯＭＥ操作ボタン２２、ライトローカライザ操作ボタン２３、ＰＲＥＳＥＴ１操作ボタン２４及びＰＲＥＳＥＴ２操作ボタン２５を備えている。これらの各操作ボタンは互いに少し離れて操作パネル装置６Ｌ上に配置されている。ＨＯＭＥ操作ボタン２２は、第２操作ボタン部２１の下側に配置され、天板５を被検者である対象者の昇降位置に移動する指示を行う操作ボタンである。ライトローカライザ操作ボタン２３は、第２操作ボタン部２１の上側に配置され、所定の位置にあるライトを点灯する指示を行う操作ボタンである。これは、被検者である対象者の位置決めを行う場合に用いられる。ＰＲＥＳＥＴ１操作ボタン２４は、第２操作ボタン部２１の右側に配置され、天板５上に横臥している対象者を頭部スキャン位置に移動することを指示する操作ボタンである。ＰＲＥＳＥＴ２操作ボタン２５は、第２操作ボタン部２１の左側に配置され、天板５上に横臥している対象者を胸部、腹部スキャン位置に移動することを指示する操作ボタンである。
【００２１】
第３操作ボタン部３１の操作ボタン３２乃至３７について説明する。第３操作ボタン部３１には、左から右に順に、ＳＴＡＲＴ操作ボタン３２、ＳＴＯＰ操作ボタン３３、０クリア操作ボタン３４、ＲＥＳＥＴ操作ボタン３５、デモ操作ボタン３６及びＰＡＴ操作ボタン３７が隣接し合って配置されている。ＳＴＡＲＴ操作ボタン３２は、対象者の体のスキャンを開始することを指示する操作ボタンである。これは、点滅している場合にのみ操作可能である。ＳＴＯＰ操作ボタン３３は、対象者の体のスキャンを中断することを指示する操作ボタンである。これら、スキャンの開始及び中断は、通常は、診断又は治療装置１が設置されている部屋と隣接する別室から操作して行われるが、例外的に対象者の近くで当該操作を行う必要がある場合にＳＴＡＲＴ操作ボタン３２及びＳＴＯＰ操作ボタン３３は使用される。０クリア操作ボタン３４は、天板５の前後位置（ＰＯＳＩＴＩＯＮ）を０にすることを指示する操作ボタンである。デモ操作ボタン３６は、対象者のスキャン前に、対象者が息継ぎのタイミング、息止めのタイミングを知るためのデモンストレーションを行うことを指示する操作ボタンである。ＰＡＴ操作ボタン３７は、ボア３内で水平・上下に配置されているライトの位置からスキャンの位置まで天板５を移動させることを指示する操作ボタンである。この操作を行った場合、天板５は前記の前進方向にだけ移動して自動停止する。途中で当該ＰＡＴ操作ボタン３７の機能を解除するにはＲＥＳＥＴ操作ボタン３５を押下する。
【００２２】
操作パネル装置６Ｌは、第２操作ボタン部２１よりも第１操作ボタン部１１の方が寝台４に近い位置に配置されている。すなわち、操作パネル装置６Ｌは、寝台４の左側に位置しているので、操作パネル装置６Ｌに向かって、第２操作ボタン部２１よりも第１操作ボタン部１１の方が寝台４に近い位置にある。
操作パネル装置６Ｌの少なくとも第１操作ボタン部１１は、使用頻度の高い操作ボタン部の方が使用頻度の低い前記操作ボタン部より前記寝台に近い位置に配置されている。
より具体的には、操作パネル装置６Ｌの第１操作ボタン部１１は、天板５をボア３内に向かって前進させる操作を行う天板前進操作ボタン１２の方が天板５をボア３内から後退させる操作を行う天板後退操作ボタン１３よりも寝台４に近い位置に配置されている。
【００２３】
次に、操作パネル装置６Ｒについて説明する。図示はしないが、操作パネル装置６Ｌと操作パネル装置６Ｒとはガントリ２の前面２ａ側から向かって視て同種の操作ボタンが左右対称になるように配置されている。まず、操作パネル装置６Ｒには、操作パネル装置６Ｌに存在する第１乃至第３操作ボタン部１１，２１，３１は全て存在し、操作パネル装置６Ｌに存在する各操作ボタンも全て存在する。
【００２４】
操作パネル装置６Ｒが操作パネル装置６Ｌと異なるのは、第１及び第２操作ボタン部１１，２１と操作ボタンの左右方向の配置が逆になっていることである。すなわち、操作パネル装置６Ｒでは、パネル上において、第１操作ボタン部１１が左側で、第２操作ボタン部２１に配置されている。また、操作パネル装置６Ｒにおいて、天板前進操作ボタン１２と天板後退操作ボタン１３とは操作パネル装置６Ｌと比べて左右が逆転している。また、操作パネル装置６Ｒにおいて、ガントリ前傾操作ボタン１７とガントリ後傾操作ボタン１８とは操作パネル装置６Ｌと比べて左右が逆転している。さらに、操作パネル装置６Ｒにおいて、寝台右シフト操作ボタン１９と寝台左シフト操作ボタン２０とは操作パネル装置６Ｌと比べて左右が逆転している。その上、操作パネル装置６Ｒにおいて、ＰＲＥＳＥＴ１操作ボタン２４とＰＲＥＳＥＴ２操作ボタン２５とは操作パネル装置６Ｌと比べて左右が逆転している。さらに、操作パネル装置６Ｒにおいて、第３操作ボタン部３１の左右の操作ボタン３２乃至３７の並びは左右逆転している。その他の操作パネル装置６Ｒの第１及び第２操作部１１，２１において、操作ボタン配置は前記した操作パネル装置６Ｌと同様である。このように、操作パネル装置６Ｒは操作パネル装置６Ｌと鏡合わせのような操作ボタン配置となっている。
【００２５】
以上のような、操作パネル装置６Ｒ，６Ｌの操作ボタンの種類と配置はあくまでもＣＴ装置の一例であり、本発明はこれに限定されるものではない。本発明をＭＲＴ装置その他の機器に適用する場合、操作ボタンの種類や配置は、当然前記のものと異なってくる場合がある。
【００２６】
図３は、図２のＡ−Ａ切断断面図で、操作パネル装置６Ｌの概略構造を示すものである。
まず、図３に示すように、操作パネル装置６Ｌは、容器状の内側筐体４１を備え、この内側筐体４１は、ガントリ２の前面２ａ側の筺体に埋め込まれている。この内側筐体４１内には基板４８が設けられている。基板４８の前面側には複数個の機械式スイッチ４２が設けられている。内側筐体４１を覆う外側筐体４３は、前面側の表面が外部に露出したパネル面４４をなしている。外側筐体４３には前記の操作ボタンが設けられている。この例では、高速操作ボタン１６、寝台上昇操作ボタン１４、寝台下降操作ボタン１５、ガントリ前傾操作ボタン１７、寝台右シフト操作ボタン１９及びデモ操作ボタン３６が示されている。高速操作ボタン１６、寝台上昇操作ボタン１４、寝台下降操作ボタン１５、ガントリ前傾操作ボタン１７及び寝台右シフト操作ボタン１９は、前面側が操作側となって、検査技師が指Ｆで略垂直に矢印ａ方向に押下することにより操作することができる。これらの高速操作ボタン１６、寝台上昇操作ボタン１４、寝台下降操作ボタン１５、ガントリ前傾操作ボタン１７及び寝台右シフト操作ボタン１９は、押下側と反対側に押圧突起４５が設けられている。これらの操作ボタンは、押下することにより、押圧突起４５が機械式スイッチ４２を押圧し、これにより該当の操作ボタンはＯＮになる。なお、図示しない弾性部材の付勢力により、これらの高速操作ボタン１６、寝台上昇操作ボタン１４、寝台下降操作ボタン１５、ガントリ前傾操作ボタン１７及び寝台右シフト操作ボタン１９は、押下した状態から指Ｆを離すことで、押圧突起４５と機械式スイッチ４２との接触が解除されて該当の操作ボタンはＯＦＦになる。これらの構造については、他の第１及び第２操作ボタン部１１，２１に属する全ての操作ボタンで共通である。
【００２７】
デモ操作ボタン３６の後側には、外側筐体４３に機械式スイッチ４２が設けられている。このデモ操作ボタン３６は、その基端部３６ａの回転軸３６ｂで操作パネル装置６Ｌの外側筐体４３に回動自在に支持されている。そして、デモ操作ボタン３６の先端部３６ｃ側を矢印ｂに示すように押下することで、操作ボタン３６は回転軸３６ｂを中心に回転して、デモ操作ボタン３６の反対側の押圧突起３６ｄが機械式スイッチ４２を押圧し、ＯＮになる。なお、図示しない弾性部材の付勢力により、デモ操作ボタン３６は、押下した状態から指Ｆを離すことで、押圧突起３６ｄと機械式スイッチ４２との接触が解除されてデモ操作ボタン３６はＯＦＦになる。なお、かかる構造は、第３操作ボタン３１の他の操作ボタンについても同様である。
【００２８】
なお、これら機械式接点スイッチの詳細については公知であるため、これらの各操作ボタンの支持構造等、より詳細な構造については図示、説明を省略する。
このように、第１及び第２操作ボタン部１１，２１と第３操作ボタン部３１とでは操作ボタンの押下方向が異なる。すなわち、前者はパネル面４４に対して略垂直な方向に押下するのに対して、後者は回転軸３６ｂを中心に回転させるように操作する。
以上のような図３の操作パネル装置６Ｌの構造は、操作パネル装置６Ｒにおいても同様である。
【００２９】
図４は、図２のＢ−Ｂ切断断面図で、操作パネル装置６Ｌの各操作ボタンの形状を示すものである。図４においては、図３とは異なり、操作パネル装置６Ｌの内部構造の図示は省略している。
図３、図４から明らかなように、第１操作ボタン部１１は、高速操作ボタン１６の表面がパネル面４４と略平行である。そして、高速操作ボタン１６に隣接する、天板前進操作ボタン１２、天板後退操作ボタン１３、寝台上昇操作ボタン１４及び寝台下降操作ボタン１５の表面の傾きは高速操作ボタン１６とは異なる。すなわち、後者の４つの操作ボタンは、表面がパネル面４４に対して操作パネル装置６Ｌの外側に向かって上り傾斜している。この場合、当該登り傾斜している操作ボタンは、その上部に第３操作ボタン部３１が位置している寝台上昇操作ボタン１４だけでもよい。また、第２操作ボタン部２１の少なくとも一部の操作ボタンも同様の上り傾斜を有していてもよい。
【００３０】
このように、少なくとも第１操作ボタン部１１を構成する操作ボタンは、表面の傾きが互いに異なるものを含んでいる。
また、図３、図４に示すように、第１及び第２操作ボタン部１１，２１の各操作ボタンは、パネル面４４の表面高さから視て操作パネル装置６Ｌの筺体奥側に幾分窪んでいる。このような構成は、操作パネル装置６Ｒについても同様である。
【００３１】
図５は、ガントリ２の前面２ａを操作パネル装置６Ｌの位置で切断した縦断面図である（操作パネル装置６Ｒについては省略）。図５、図３に示すように、操作パネル装置６Ｌは、その操作面であるパネル面４４の面方向が鉛直方向と鋭角をなして上向きである。図３に示す例では、このように操作パネル装置６Ｌのパネル面４４を幾分上向きにするために、内側筐体４１の深さを上側に位置するに従って漸次浅くなるようにしている。その他に、内側筐体４１の深さは均一のまま、操作パネル装置６Ｌを取り付けるガントリ２の前面２ａ部分の筺体に傾斜をつけて、操作パネル装置６Ｌの前面を幾分上向きになるようにしてもよい。このような構成は、操作パネル装置６Ｒについても同様である。
【００３２】
図４、図３に示すように、操作パネル装置６Ｌは、その操作面であるパネル面４４の面方向がボア３の径方向の面と鋭角をなして当該ボア３側に向いている。図４、図５に示す例では、ガントリ２の前面２ａにおける操作パネル装置６Ｌの取り付け部分（筺体）が、ボア３に近づくにつれて漸次ガントリ２の前方側から後方側になるように緩やかに傾斜していることにより、操作パネル装置６Ｌのパネル面４４が幾分ボア３側を向くようにしている。その他に、操作パネル装置６Ｌの内側筐体４１の深さがボア３側に近づくほど漸次浅くなるようにして、操作パネル装置６Ｌのパネル面４４が幾分ボア３側を向くようにしてもよい。このような構成は、操作パネル装置６Ｒについても同様である。よって、ガントリ２の前方側から視て操作パネル装置６Ｒと６Ｌとは、左右方向の傾きが左右対称になる。
【００３３】
図６は、診断又は治療装置１の制御系の概略構成を示すブロック図である。図６において、制御部５１は、診断又は治療装置１の各種制御を行う１又は複数台のマイクロコンピュータやＡＳＩＣ（Application Specific Integrated Circuit）等で構成される制御装置である。制御部５１は、その一機能として選択部５２を備えている。制御部５１には、所定のインターフェイス（図示せず）を介して、操作パネル装置６Ｒ，６Ｌ並びにタッチパネル装置７が接続されている。また、制御部５１には、前記した診断又は治療装置１の各部に設けられている各種アクチュエータ及び各種センサ５３が所定のインターフェイス（図示せず）を介して接続されている。診断又は治療装置１に一般的に使用される様々なアクチュエータやセンサは公知であるため、ここでは各種アクチュエータ及び各種センサ５３として包括的に図示し、その個々の説明や図示は省略する。また、制御部５１には、操作パネル装置５４が所定のインターフェイス（図示せず）を介して接続されている。操作パネル装置５４は、診断又は治療装置１が設置されている部屋と隣接する別室に設置され、診断又は治療装置１を操作するための装置である。
制御部５１は、操作パネル装置６Ｒ，６Ｌの操作により、診断又は治療装置１で、図２を参照して前記した操作ボタンのメニューに従った様々な制御を行う。
【００３４】
図７は、選択部５２が実行する処理を説明するフローチャートである。また、図８乃至図１１は、タッチパネル装置７の様々な画面表示例を示す平面図である。まず、図８の画面例では、画面中央にガントリ２と天板５との相対的な位置関係の限界値をメートル法等で表示する位置情報６１が表示されている。これは、ガントリ２を表す画像２ｂと天板５を表す画像５ａを使って表示されている。この表示は、天板５の高さ（ＨＥＩＧＨＴ）、その左右方向へのスライド距離、ガントリ２の傾斜方向とその傾斜角度（ＴＩＬＴ）、などの可能限度の値等である。最上段には、現在情報６２が表示されている。現在情報６２の上段には、例えば、対象者の氏名、年齢、性別等の個人情報が表示される。現在情報６２の下段には、例えば、現在の前記のＰＯＳＩＴＩＯＮ、ＨＥＩＧＨＴ、ＴＩＬＴなどが表示される。これらの現在情報６２における下段の値等は、第１操作ボタン部１１等を操作することにより変動する。図８の画面の最下段には、各種操作ボタン６３が表示される。
【００３５】
ここで、図７の処理について説明する。所定のメニュー画面（タッチパネル表示）で所定の操作ボタンを操作して、所望の操作ボタンの表示が要求されたときは（Ｓ１のＹｅｓ）、選択部５２は、Ｓ２以下の処理を行う。すなわち、各種操作ボタン６３の所定の操作ボタンを操作して、画面の右側に操作ボタンを表示するように要求があったときは（Ｓ２のＹｅｓ）、選択部５２は、図９に示すように、タッチパネル装置７の画面の右側に１又は複数個のタッチ式の操作ボタン７１を表示する（Ｓ３）。また、ガントリ２の正面における向かって右側の操作パネル装置６Ｒの操作があったときは（Ｓ４のＹｅｓ）、選択部５２は、同様に、図９に示すように、タッチパネル装置７の画面の右側に１又は複数個のタッチ式の操作ボタン７１を表示する（Ｓ３）。
【００３６】
一方、各種操作ボタン６３の所定の操作ボタンを操作して、画面の左側に操作ボタンを表示するように要求があったときは（Ｓ５のＹｅｓ）、選択部５２は、図１０に示すように、タッチパネル装置７の画面の左側に１又は複数個のタッチ式の操作ボタン７１を表示する（Ｓ６）。また、ガントリ２の正面における向かって左側の操作パネル装置６Ｌの操作があったときは（Ｓ７のＹｅｓ）、選択部５２は、同様に、図１０に示すように、タッチパネル装置７の画面の左側に１又は複数個のタッチ式の操作ボタン７１を表示する（Ｓ６）。なお、Ｓ４やＳ７の処理を省略して、Ｓ２及びＳ５の判断だけでＳ３の処理かＳ６の処理かを選別するようにしてもよい。
【００３７】
図１１の画面では、検査技師や対象者が確認するための各種の情報をタッチパネル装置７に表示する例を示している。画面の中央には、大きく、対象者の個人情報８１等が表示される。この個人情報８１は、対象者の氏名、年齢、性別、受診している診療科名などである。最上段には、第１操作ボタン部１１を操作することにより決定した、前記のＰＯＳＩＴＩＯＮ、ＨＥＩＧＨＴ、ＴＩＬＴなどの決定情報８２が表示される。最下段には、所定の操作ボタン８３等が表示される。
【００３８】
次に、本実施例の作用効果について説明する。
本実施例の操作パネル装置６Ｒ，６Ｌは、第１乃至第３操作ボタン部１１，２１，３１に区分けされている。そして、第１操作ボタン部１１は、対象者とガントリ２との相対的な位置関係の指示を行う操作ボタンを含んでなる。第２操作ボタン部２１は、ガントリ２側から当該ガントリ２のボア３内の対象者に対して診断又は治療のための所定の物理的作用を施す処理の開始及び終了に関する指示を行う操作ボタンを含んでなる。そのため、操作パネル装置６Ｒ，６Ｌは、密接に関連性のある操作ボタンが同一のボタン部に集合しているので、操作がし易い。すなわち、対象者とガントリ２との相対的な位置関係の決定は、第１操作ボタン部１１の中だけで操作できる。また、対象者に対する所定の物理的作用を施す処理の開始及び終了に関する操作は、第２操作ボタン部２１の中だけで操作できる。普段あまり使用しない操作ボタンは第３操作ボタン部３１に集合しているので、普段あまり使用しない操作ボタンを誤って操作することを防止することもできる。よって、従来に比べて操作性が高い操作パネル装置６Ｒ，６Ｌ及び診断又は治療装置１を提供することができる。
【００３９】
また、操作パネル装置６Ｒ，６Ｌは、その操作ボタンの操作により寝台４、天板５及びガントリ２のうちの少なくともひとつの移動を指示することで、対象者とガントリとの相対的な位置関係を指示するものである。そして、操作パネル装置６Ｒ，６Ｌは、ガントリ２の前面におけるボア３の左右側にそれぞれ設けられている。よって、検査技師は、対象者が横臥する天板５や、それを支持する寝台４や、ガントリ２と当該対象者との相対的な位置関係を決定する操作を、当該対象者の右側に立っていても左側に立っていても行うことができる。
【００４０】
また、第３操作ボタン部３１は、第１及び第２操作ボタン部１１，２１よりも上部に設けられている（図２）。そのため、あまり操作しない操作ボタンからなる第３操作ボタン部３１を、第１及び第２操作ボタン部１１，２１の操作中に誤って第３操作ボタン部３１を操作してしまう可能性を低減し、操作パネル装置６Ｒ，６Ｌの操作性を向上させることができる。
【００４１】
さらに、少なくとも第１操作ボタン部１１を構成する操作ボタンは、表面の傾きが互いに異なるものを含んでいる（図３、図４）。そのため、手探りでも第１操作ボタン部１１内の操作ボタンを識別して操作することができ、操作パネル装置６Ｒ，６Ｌの操作性を向上させることができる。同様に、第２及び第３操作ボタン部２１，３１についても表面の傾きが互いに異なる操作ボタンを含むようにしてもよい。
【００４２】
その上、前記のとおり、第３操作ボタン部３１は、第１及び第２操作ボタン部１１，２１よりもガントリ２の前面２ａの上部に設けられている。そして、第１及び第２操作ボタン部１１，２１のうち少なくとも前者は、少なくとも当該操作ボタン部の上部に配置され表面がパネル面４４に対して操作パネル装置６Ｒ，６Ｌのパネルの外側に向かって上り傾斜している操作ボタン（寝台上昇操作ボタン１４）（図２）を備えている。そのため、寝台上昇操作ボタン１４を操作中に指Ｆ（図３）が滑って、通常はめったに操作しない第３操作ボタン部３１を誤って操作してしまう可能性を低減し、操作パネル装置６Ｒ，６Ｌの操作性を向上させることができる。同様に、天板後退操作ボタン１３や寝台下降操作ボタン１５も表面がパネル面４４に対して操作パネル装置６Ｒ，６Ｌのパネルの外側に向かって上り傾斜している。そのため、これらのボタンを操作している指Ｆが滑って誤って寝台右シフト操作ボタン１９及び寝台左シフト操作ボタン２０又はＰＲＥＳＥＴ１操作ボタン２４などを操作してしまうことがないので、操作パネル装置６Ｒ，６Ｌの操作性を向上させることができる。同様の傾斜は第２操作ボタン部２１にも設けるようにしてもよい。
【００４３】
また、第１操作ボタン部１１は、ガントリ２のボア３の前方側に配置された寝台４及び天板５の動きを操作する天板前進操作ボタン１２、天板後退操作ボタン１３、寝台上昇操作ボタン１４及び寝台下降操作ボタン１５の配置が次のようになっている。すなわち、これらの操作ボタンは、当該動きを高速化する高速操作ボタン１６の周囲に配置さている（図２）。そのため、天板前進操作ボタン１２、天板後退操作ボタン１３、寝台上昇操作ボタン１４又は寝台下降操作ボタン１５と高速操作ボタン１６とを指Ｆで同時押しして、寝台４及び天板５の動きを高速化する操作が容易となる。これにより、操作パネル装置６Ｒ，６Ｌの操作性を向上させることができる。
さらに、第１及び第２操作ボタン部１１，２１と第３操作ボタン部３１とでは押下方向が異なる。
【００４４】
具体的には、第１及び第２操作ボタン部１１，２１は、操作パネル装置６Ｒ，６Ｌのパネル面４４に対して略垂直方向に押下することで操作されるものである。これに対して、第３操作ボタン部３１は、その各操作ボタンが基端部の回転軸３６ｂで操作パネル装置６Ｒ，６Ｌの外側筐体４３に回動可能に支持されていて、先端部３６ｃ側を押下することで回転軸３６ｂを中心に回動することで操作される（図３）。よって、間違って第１及び第２操作ボタン部１１，２１を操作するような操作を第３操作ボタン部３１の操作ボタンに行っても、あまり操作されることがない当該操作ボタンが操作されることはない。これにより、操作パネル装置６Ｒ，６Ｌの操作性を向上させることができる。なお、第１及び第３操作ボタン部１１，２１，３１の押下方向は前記の例に限定されるものではない。
【００４５】
その上、操作パネル装置６Ｒ，６Ｌは、第２操作ボタン部２１より第１操作ボタン部１１の方が寝台４に近い位置に配置されている。そのため、天板５上の対象者を観察したり、処置したりしながら、最も操作頻度の高い第１操作ボタン部１１を最も手近で操作することができ、操作パネル装置６Ｒ，６Ｌの操作性を向上させることができる。
【００４６】
また、操作パネル装置６Ｒ，６Ｌの少なくとも第１操作ボタン部１１は、天板５をボア３内に収納する操作を行う天板前進操作ボタン１２の方が、天板５をボア３内から取り出す操作を行う天板後退操作ボタン１３よりも寝台４に近い位置に配置されている。天板前進操作ボタン１２の方が天板後退操作ボタン１３よりも使用頻度が高い操作ボタンである。よって、検査技師は、天板５上の対象者を観察したり、処置したりしつつ、手近な位置で使用頻度の高い天板前進操作ボタン１２を操作することができる。従って、操作パネル装置６Ｒ，６Ｌの操作性を向上させることができる。
【００４７】
さらに、操作パネル装置６Ｒと６Ｌとは、ガントリ２の前面２ａに向かって視て同種の操作ボタンが左右対称になるように配置されている。従って、検査技師は、天板５上の対象者に向かって当該対象者を観察し、あるいは処置をしつつ対象者の右側に立って操作パネル装置６Ｒを操作する時も、左側に立って操作パネル装置６Ｌを操作するときも、同種操作ボタンは同じ距離感で操作することができる。よって、操作パネル装置６Ｒ，６Ｌの操作性を向上させることができる。
【００４８】
その上、操作パネル装置６Ｒ，６Ｌは、円形のボア３の中央高さより高くボア３の上端より低い位置に設けられている。よって、操作パネル装置６Ｒ，６Ｌは、検査技師がボア３内に入る対象者を観察し、あるいは処置をしつつ操作するのに程良い高さである（図１）。よって、操作パネル装置６Ｒ，６Ｌの操作性を向上させることができる。
【００４９】
この際に、この高さは、多くの検査技師にとって、直立して軽く操作パネル装置６Ｒ，６Ｌを見下ろすような高さとなる場合が多い。そして、操作パネル装置６Ｒ，６Ｌは、その操作面（パネル面４４）の面方向が鉛直方向と鋭角をなして上向きである（図３、図５）。よって、多くの検査技師にとって操作パネル装置６Ｒ，６Ｌのパネル面４４は見易い。そのため、操作パネル装置６Ｒ，６Ｌの操作性を向上させることができる。
【００５０】
また、操作パネル装置６Ｒ，６Ｌは、その操作面（パネル面４４）の面方向がボア３の径方向の面と鋭角をなしてボア３側に向いている（図４、図５）。よって、検査技師は、ボア３に入ろうとする天板５上の対象者を観察し、あるいは処置をしつつ、操作パネル装置６Ｒ，６Ｌの操作を行い易い。そのため、操作パネル装置６Ｒ，６Ｌの操作性を向上させることができる。
【００５１】
さらに、操作パネル装置６Ｒ，６Ｌは、第１及び第２操作ボタン部１１，２１の各操作ボタンは、パネル面４４の表面高さから視て操作パネル装置６Ｌの筺体奥側に幾分窪んでいる（図３、図４）。そのため、第１及び第２操作ボタン部１１，２１に不用意に体が当接してしまっても、操作ボタンが操作されない可能性を高めることができる。
【００５２】
さらに、ガントリ２の前面２ａでボア３の上部位置にはタッチパネル装置７が設けられている。そして、タッチパネル装置７の画面中における左側及び右側のうち操作ボタンを表示する方を選択部５２で選択することができる（図６、図７）。従って、検査技師は、天板５の右側に立っているか左側に立っているかによって、タッチパネル装置７における自分が立っているのと同じ側に操作ボタン７１を表示できるので、タッチパネル装置７を操作し易い。従って、タッチパネル装置７の操作性を向上させることができる。
【００５３】
このときに、天板５の右側にある操作パネル装置６Ｒを操作するか、左側にある操作パネル装置６Ｌを操作するか否かによって、タッチパネル装置７における当該操作パネル装置６Ｒ又は６Ｌと同じ側に操作ボタン７１を表示できる（図７のＳ４，Ｓ７）。従って、操作ボタン７１をタッチパネル装置７の右側に表示させるか左側に表示させるかの選択が自動で行え、タッチパネル装置７の操作性を更に向上させることができる。
【００５４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることも可能である。
【符号の説明】
【００５５】
１      診断又は治療装置
２      ガントリ
３      ボア
４      寝台
５      天板
６Ｒ，６Ｌ  操作パネル装置（第１操作パネル装置）
７      タッチパネル装置（第２操作パネル装置）
１１    第１操作ボタン部
１２    天板前進操作ボタン（操作ボタン）（使用頻度の高い操作ボタン）
１３    天板後退操作ボタン（操作ボタン）（使用頻度の低い操作ボタン）
１４    寝台上昇操作ボタン（操作ボタン）
１５    寝台下降操作ボタン（操作ボタン）
１６    高速操作ボタン（操作ボタン）
１７    ガントリ前傾操作ボタン（操作ボタン）
１８    ガントリ後傾操作ボタン（操作ボタン）
１９    寝台右シフト操作ボタン（操作ボタン）
２０    寝台左シフト操作ボタン（操作ボタン）
２１    第２操作ボタン部
２２    ＨＯＭＥ操作ボタン（操作ボタン）
２３    ライトローカライザ操作ボタン（操作ボタン）
２４    ＰＲＥＳＥＴ１操作ボタン（操作ボタン）
２５    ＰＲＥＳＥＴ２操作ボタン（操作ボタン）
３１    第３操作ボタン部
３２    ＳＴＡＲＴ操作ボタン（操作ボタン）
３３    ＳＴＯＰ操作ボタン（操作ボタン）
３４    ０クリア操作ボタン（操作ボタン）
３５    ＲＥＳＥＴ操作ボタン（操作ボタン）
３６    デモ操作ボタン（操作ボタン）
３６ａ  基端部
３６ｂ  回転軸
３６ｃ  先端部
３７    ＰＡＴ操作ボタン（操作ボタン）
５２    選択部
７１    操作ボタン
【図１】
2019130177.tif 000003
【図２】
2019130177.tif 000004
【図３】
2019130177.tif 000005
【図４】
2019130177.tif 000006
【図５】
2019130177.tif 000007
【図６】
2019130177.tif 000008
【図７】
2019130177.tif 000009
【図８】
2019130177.tif 000010
【図９】
2019130177.tif 000011
【図１０】
2019130177.tif 000012
【図１１】
2019130177.tif 000013